(57)【要約】【課題】宝石のパビリオン中間部近傍の台座の上方に係止部を取り付け、ペンダント本体の吊下げ部から吊り下げても、ペンダント着用中に宝石が垂れ下がることがなく、ペンダント本体の大きさを小さくすることもできる宝石用台座を提供すること。【解決手段】宝石用台座において、宝石に巻装し、宝石を把持する台座の上方に係止部を取り付け、側面方向から見た場合には、係止部が宝石のパビリオン中間部近傍に位置すると共に、係止部より宝石のテーブル方向における宝石と台座の重量の和と係止部より宝石のキューレット方向における宝石と台座の重量の和を、宝石のキューレット方向における台座に錘部を形成することでほぼ均衡させる。【選択図】図２
2009005938.tif 000002
【特許請求の範囲】
【請求項１】
宝石に巻装し、宝石を把持する台座の上方に装身具本体へ吊り下げるための係止部を取り付け、側面方向から見た場合には、前記係止部が宝石のパビリオン中間部近傍に位置すると共に、前記係止部より宝石のテーブル方向における宝石と台座の重量の和と前記係止部より宝石のキューレット方向における宝石と台座の重量の和をほぼ均衡させたことを特徴とする宝石用台座。
【請求項２】
前記宝石のテーブル方向における宝石と台座の重量の和と前記宝石のキューレット方向における宝石と台座の重量の和における均衡は、前記宝石のキューレット方向における台座に錘部を形成してなされることを特徴とする請求項１に記載の宝石用台座。
【請求項３】
前記錘部は、前記宝石のテーブル方向における台座に対し、前記宝石のキューレット方向における台座をより肉厚にしてなされることを特徴とする請求項２に記載の宝石用台座。
【請求項４】
宝石に巻装し、宝石を把持する台座の上方に装身具本体へ吊り下げるための係止部を取り付け、側面方向から見た場合には、前記係止部が宝石のパビリオン中間部近傍に位置する宝石用台座を、前記係止部を連結して揺動可能に吊り下げる装身具用ペンダントにおいて、前記係止部より宝石のテーブル方向における宝石と台座の重量の和と前記係止部より宝石のキューレット方向における宝石と台座の重量の和をほぼ均衡させて、前記装身具用ペンダント着用時の宝石の垂れ下がりを防止することを特徴とする装身具用ペンダントの製造方法。
【請求項５】
前記宝石のテーブル方向における宝石と台座の重量の和と前記宝石のキューレット方向における宝石と台座の重量の和における均衡は、前記宝石のキューレット方向における台座に錘部を形成してなされることを特徴とする請求項４に記載の装身具用ペンダントの製造方法。
【請求項６】
前記錘部は、前記宝石のテーブル方向における台座に対し、前記宝石のキューレット方向における台座をより肉厚にしてなされることを特徴とする請求項５に記載の装身具用ペンダントの製造方法。
【請求項７】
装飾体の上方に装身具本体に吊り下げるための係止部を形成し、側面方向から見た場合には、前記係止部が装飾体の中間部より後側の上方に位置すると共に、前記係止部より装飾体の前側における装飾体と係止部の重量の和と前記係止部より装飾体の後側における装飾体と係止部の重量の和をほぼ均衡させたことを特徴とする装身具用装飾体。
【発明の詳細な説明】
【技術分野】
【０００１】
本発明は宝石等を把持する宝石用台座と、その宝石用台座や装飾体を使用した装身具の製造方法のうち、特にペンダントに関する。
【背景技術】
【０００２】
従来、ダイヤモンド、ルビー、サファイア等の宝石を装身具に使用するには、これらの宝石等を所定の宝石用台座に固定し、ペンダントや指輪又はイヤリング等の装身具本体に取り付けていた。
【０００３】
例えば、図７に示すように、網状や筒状に形成された宝石用台座１２０、１３０に宝石１２を載置し、先端から伸びた複数の爪部１２２や筒の先端を内側に折り曲げた覆輪部１３８により宝石１２を把持し、宝石用台座１２０、１３０の上方には輪環による係止部１２４、１３４を取り付ける。そして、ペンダント等の装身具本体に形成された孔による吊り下げ部に係止部１２４、１３４を連結し、宝石を揺動可能に吊り下げ、さらに、ペンダント等の装身具本体をチェーンに通し、装身具として使用していたものである（図示せず。）。
【０００４】
そして、このような宝石用台座１２０、１３０においては、係止部１２４、１３４は宝石のガードル近傍の上方に常に取り付ける必要があった。
【０００５】
というのは、図８に示すように、ほとんどの宝石１２は、反射光を最大にするという光学的理由から、平面形状が円形状でも角形状であっても同様に、側面方向から見た場合には、頭部に平坦なテーブル２０と略台形のクラウン１３、周部に線状又は帯状のガードル１７、底部に略三角形のパビリオン１４と先端に鋭角なキューレット１５を備えるようカットされている。
【０００６】
よって、仮に、係止部１２４、１３４を宝石１２のパビリオン１４中間部近傍の上方において宝石用台座１２０、１３０に取り付けると、吊り下げた場合には係止部１２４、１３４よりテーブル２０方向における宝石１２と宝石用台座１２０、１３０の重量の和（合計重量）に対し、係止部１２４，１３４よりキューレット１５方向における宝石１２と宝石用台座１２０、１３０の重量の和は、後者の方が大きい（重い）ことはその体積より明らかであるから、ペンダント等の着用中に宝石１２が垂れ下がってしまい（前傾してしまい）、装身具としての見栄えが極めて悪くなるからである。
【０００７】
ところで、本願の出願人は、図９に示すように、上方にチェーン連結部１４２を有した台座（ペンダント本体）の背面にテーパー状の定着部１４４を形成し、正面略中央には、先端に吊下孔１４６と後方に湾曲部を設けた吊下部１４３を形成し、該吊下孔１４６には宝石１２を取り付けた宝石用台座１２０を揺動可能に吊下げることを特徴とするペンダント１４０（以下、「揺れるペンダント」と省略する。）について特許出願（特願２００１-８６４７１）をしている。
【０００８】
この「揺れるペンダント」において、吊下げられた宝石１２が輝きを発揮するためには、使用中の体の動きにより微妙に揺動しなければならず、揺れる宝石用台座１２０が接触しないよう台座（ペンダント本体）との間に十分な空間を確保する必要がある。
【０００９】
したがって、この台座（ペンダント本体）においては、吊下部１４８を隆起させたり、その後方に窪んだ湾曲部１４９を形成する等のデザイン上の特別の工夫が必要とされ、特に、このような「揺れるペンダント」を複数連続して一つの装身具用ペンダントとする場合には、宝石用台座が吊り下げられた台座のみならず他の台座（ペンダント本体）に接触することも防止しなければならず、宝石用台座の大きさに対し台座（ペンダント本体）を極めて大きなものとしなければならないという不都合が生じていた。
【発明の開示】
【発明が解決しようとする課題】
【００１０】
本発明はこのような従来技術の課題を解決し、宝石のパビリオン中間部近傍の宝石用台座の上方に係止部を取り付け、ペンダント等の装身具本体に吊り下げても、その着用中に宝石が垂れ下がることがない宝石用台座を提供することを目的とする。また、本発明は吊り下げられる宝石用台座の大きさに対し、台座（ペンダント本体）を小さくすることができ、美しいデザインの装身具用ペンダントの製造方法を提供することを目的とする。
【課題を解決するための手段】
【００１１】
上記課題を解決するために、請求項１に記載された発明は、宝石に巻装し、宝石を把持する台座の上方に装身具本体へ吊り下げるための係止部を取り付け、側面方向から見た場合には、前記係止部が宝石のパビリオン中間部近傍に位置すると共に、前記係止部より宝石のテーブル方向における宝石と台座の重量の和と前記係止部より宝石のキューレット方向における宝石と台座の重量の和をほぼ均衡させた宝石用台座であることを特徴とする。請求項２に記載された発明は、請求項１に記載された発明において、前記宝石のテーブル方向における宝石と台座の重量の和と前記宝石のキューレット方向における宝石と台座の重量の和における均衡は、前記宝石のキューレット方向における台座に錘部を形成してなされることを特徴とする。請求項３に記載された発明は、請求項２に記載された発明において、前記錘部は、前記宝石のテーブル方向における台座に対し、前記宝石のキューレット方向における台座をより肉厚にしてなされることを特徴とする。
【００１２】
請求項４に記載された発明は、宝石に巻装し、宝石を把持する台座の上方に装身具本体へ吊り下げるための係止部を取り付け、側面方向から見た場合には、前記係止部が宝石のパビリオン中間部近傍に位置する宝石用台座を、前記係止部を連結して揺動可能に吊り下げる装身具用ペンダントにおいて、前記係止部より宝石のテーブル方向における宝石と台座の重量の和と前記係止部より宝石のキューレット方向における宝石と台座の重量の和をほぼ均衡させて、前記装身具用ペンダント着用時の宝石の垂れ下がりを防止する装身具用ペンダントの製造方法であることを特徴とする。請求項５に記載された発明は、請求項４に記載の装身具用ペンダントの製造方法において、前記宝石のテーブル方向における宝石と台座の重量の和と前記宝石のキューレット方向における宝石と台座の重量の和における均衡は、前記宝石のキューレット方向における台座に錘部を形成してなされることを特徴とする。請求項６に記載された発明は、請求項５に記載の装身具用ペンダントの製造方法において、前記錘部は、前記宝石のテーブル方向における台座に対し、前記宝石のキューレット方向における台座をより肉厚にしてなされることを特徴とする。
【００１３】
請求項７に記載された発明は、装飾体の上方に装身具本体に吊り下げるための係止部を形成し、側面方向から見た場合には、前記係止部が装飾体の中間部より後側の上方に位置すると共に、前記係止部より装飾体の前側における装飾体と係止部の重量の和と前記係止部より装飾体の後側における装飾体と係止部の重量の和をほぼ均衡させた装身具用装飾体であることを特徴とする。
【発明の効果】
【００１４】
このような宝石用台座を使用すれば、装身具用ペンダントの着用中に身体の動きが伝わって、微妙に宝石用台座が揺動しても、係止部よりテーブル方向における宝石と宝石用台座の重量の和と係止部よりキューレット方向における宝石と宝石用台座等の重量の和がほぼ均衡し、釣り合いが保たれているため、宝石が垂れ下がることもない。また、宝石用台座の揺れ幅が小さくなり、ペンダント本体との間に十分な空間部を確保する必要がなくなり、ペンダント本体を小さく形成して、見栄えの良い装身具用ペンダントを製造することができる。
【発明を実施するための最良の形態】
【００１５】
以下、本発明にかかる宝石用台座の好ましい実施形態を図面により詳細に説明する。図１において、（ａ）は、第１宝石用台座に宝石を取付けた状態を示す側面図、（ｂ）は、第２宝石用台座に宝石を取り付けた状態を示す一部破断した側面図である。
【００１６】
第１宝石用台座１０は、例えば、金、プラチナ、シルバー、真鍮等の金属を素材として、ロストワックスキャスティングやプレス切断加工により製造されるもので、宝石１２のパビリオン１４に空間をもって巻装し、全体的に略逆円錐形状をなす冗長な網部１６と、宝石１２の周部であるガードル（図示せず）に下方向から当接する枠部１８及び内側に折り曲げられて宝石１２のテーブル２０を上方向から押圧する複数の爪部２２からなる。
【００１７】
そして、第１宝石用台座１０においては、宝石１２のパビリオン１４の中間部近傍を覆う網部１６の上方に輪環等により、ペンダント等の装身具本体と連結するための係止部２４が取り付けられている。この係止部２４の位置は、例えば、宝石寸法の深さが深い場合には、一般的にクラウン側が大きくなる（重くなる。）ことを考慮すると、よりテーブル１２方向偏りとなり、逆の場合には、よりキューレット１５方向偏りとなると考えられる。
【００１８】
よって、宝石１２を第１宝石用台座１０に把持して、ペンダント等の装身具本体に吊り下げても、係止部２４よりテーブル２０方向における宝石１２と第１宝石用台座１０の重量の和と係止部２４よりキューレット１５方向における宝石１２と第１宝石用台座１０の重量の和がほぼ均衡し、釣り合いが保たれる。
【００１９】
なお、重量の和が均衡している限り、網部１６とパビリオン１４やキューレット１５との間には空間を設けても設けなくても良い。また、宝石１２の垂れ下がりをより確実に防止するためには、係止部２４よりテーブル２０方向における宝石１２と第１宝石用台座１０の重量の和に対し、係止部２４よりキューレット１５方向における宝石１２と第１宝石用台座１０の重量の和がやや大きく（重く）なっても差し支えない。
【００２０】
第２宝石用台座３０は、前記の第１宝石用台座１０と略同様の素材、方法により製造される。第２宝石用台座３０においては、宝石１２のパビリオン１４に巻装し、前記の第１宝石用台座１０に比し、全体的に短寸な略逆円錐形状をなす網部３６と、宝石１２のガードル（図示せず）に下方向から当接する枠部３８及び内側に折り曲げられて宝石１２のテーブル２０を上方向から押圧する複数の爪部４２からなる。
【００２１】
第２宝石用台座３０においては、宝石１２のパビリオン１４の中間部近傍を覆う網部３６の上方に輪環等により、ペンダント等の装身具本体へ連結するための係止部４４が取り付けられている。この係止部４４の位置は、前記の第１宝石用台座１０と略同様に考えられるが、例えば、後記する錘部５８の重量が大きく（重く）なればなるほど、よりキューレット１５方向偏りとすることができる。
【００２２】
くわえて、第２宝石用台座３０は、宝石のキューレット１５近傍の網部３６が肉厚に形成され、錘部４８を有している。よって、短寸な網部３６にもかかわらず、係止部４４よりテーブル２０方向における宝石と第２宝石用台座３０の重量の和と係止部４４よりキューレット１５方向における宝石と第２宝石用台座３０の重量の和をほぼ均衡させ、釣り合いを保つことができる。
【００２３】
なお、第２宝石用台座３０においては、重量の和が均衡している限り、錘部５８をキューレット１５近傍の網部５６の内部に形成しなければならないわけではない。宝石のパビリオン１４はキューレット１５方向で尻すぼみになるので、例えば、網部３６の内面の肉厚をその末端方向に順次増して行くことにより重量の均衡を図ることもできるし、キャップ形状をなすことでキューレット１５の先端部に取り付けられる錘部を形成することもできる。係止部４４よりテーブル２０方向における宝石１２と第２宝石用台座３０の重量の和に対し、係止部４４よりキューレット１５方向における宝石１２と第２宝石用台座３０の重量の和がやや大きく（重く）なっても差し支えない点は、前記の第１宝石用台座１０と全く同様である。
【００２４】
図２において、（ａ）は、第１宝石用台座を使用した第１装身具用ペンダントの側面図、（ｂ）は、その正面図である。
【００２５】
第１装身具用ペンダント５０は、チェーン連結部５２を有した台座５３の背面に平坦な定着部５４を形成し、正面略中央には、先端に吊下孔５６を設けた吊下部５８を形成し、吊下孔５６には宝石１２を取り付けた第２宝石用台座３０を揺動可能に吊下げて、「揺れるペンダント」を製造したものである。
【００２６】
従来のガードル近傍に係止部を取り付けた宝石用台座と異なり、吊下孔５６を支点として揺動する第２宝石用台座３０によれば、第１装身具用ペンダント５０における宝石用台座の前後方向及び横方向の揺れ幅が極めて小さくなり（図９との比較による。）、第２宝石用台座３０とペンダント本体との間に十分な空間を確保する必要がない。
【００２７】
よって、吊下部５８を大きく隆起させたり、窪んだ湾曲部を形成したり、定着部５４をテーパー状に形成する等の構造上の工夫が不要となり、ペンダント本体を極めて小さく形成することができる。デザイン上の制約やアンバランスが生じないため、自由で美しい「揺れるペンダント」を製造することができる。
【００２８】
図３において、（ａ）は、第３宝石用台座に宝石を取付けた状態を示す側面図、（ａ）は、第４宝石用台座に宝石を取付けた状態を示す一部破断側面図である。
【００２９】
第３宝石用台座６０は、前記の第１宝石用台座１０と同様の金属素材を使用し、同様の製法により製造される。第３宝石用台座６０は、宝石１２のパビリオン１４が挿入され、全体的に略円筒形状をなす冗長な筒部６６と、宝石１２の周部であるガードル（図示せず。）に下方向から当接する筒部６６と、筒先端をループ状に折り曲げてガードルに上方向から当接する覆輪部６８を有している。
【００３０】
第３宝石用台座６０においては、宝石１２のパビリオン１４の中間部近傍を覆う筒部６６の上方に輪環等により、ペンダント等の装身具本体と連結するための係止部６４が取り付けられている。この係止部６４の位置としては、例えば、宝石寸法の深さが深い場合には、一般的にクラウン側が大きくなる（重くなる。）ことを考慮すると、よりテーブル１２方向偏りとなり、逆の場合には、よりキューレット１５方向偏りとなると考えられる。
【００３１】
よって、第３宝石用台座６０に宝石１２を把持して、ペンダント等の装身具本体に吊り下げても、係止部６４よりテーブル２０方向における宝石１２と第３宝石用台座６０の重量の和と係止部６４よりキューレット１５方向における宝石１２と第３宝石用台座６０の重量の和はほぼ均衡し、釣り合いが保たれる。
【００３２】
なお、宝石１２の垂れ下がりを防止するためには、係止部６４よりテーブル２０方向における宝石１２と第３宝石用台座６０の重量の和に対し、係止部６４よりキューレット１５方向における宝石１２と第３宝石用台座６０の重量の和がやや大きく（重く）なっても差し支えない。
【００３３】
次に、第４宝石用台座７０は、前記の宝石用台座１０と同様の金属素材を使用し、同様の製法により製造されるものである。第４宝石用台座７０は、宝石１２のパビリオン１４が挿入され、全体的に略円筒形状をなす短寸な筒部６６と、宝石１２の周部であるガードル（図示せず。）に下方向から当接する筒部７６と、筒先端をループ状に折り曲げてガードルに上方向から当接する覆輪部７８を有している。
【００３４】
第４宝石用台座７０においては、宝石１２のパビリオン１４の中間部近傍を覆う筒部７６の上方に輪環等により、ペンダント等の装身具本体と連結するための係止部７４が取り付けられている。この係止部７４の位置としては、例えば、宝石寸法の深さが深い場合には、一般的にクラウン側が大きくなる（重くなる。）ことを考慮すると、よりテーブル１２方向偏りとなり、逆の場合には、よりキューレット１５方向偏りとなると考えられる。
【００３５】
くわえて、第４宝石用台座７０は、筒部７６の後端に肉厚な底部が形成されて、錘部７９を有している。よって、より短寸な筒部７６にもかかわらず、係止部７４よりテーブル２０方向における宝石と第４宝石用台座７０の重量の和と係止部７４よりキューレット１５方向における宝石と第４宝石用台座７０の重量の和をほぼ均衡させ、釣り合いを保つことができる。
【００３６】
なお、第４宝石用台座７０においては、重量の和が均衡している限り、筒部７６の後端の肉厚な底部に錘部７９を設けても設けなくても良い。宝石のパビリオン１４はキューレット１５方向で尻すぼみになるので、例えば、筒部７６の周部内面の肉厚をその末端方向に順次増して行くことによって、重量の均衡を図ることもできる。係止部７４よりテーブル２０方向における宝石１２と第４宝石用台座７０の重量の和に対し、係止部７４よりキューレット１５方向における宝石１２と第４宝石用台座７０の重量の和がやや大きく（重く）なっても差し支えない点は、前記同様である。
【００３７】
また、図４において、（ａ）は、本発明に係る宝石用台座を使用した第２装身具用ペンダントの側面図、（ｂ）は、その正面図である。
【００３８】
第２装身具用ペンダント８０は、上方にチェーン連結部８２を有した外筒８４の内面に吊下孔８６を設けた吊下部８８を形成し、宝石１２を取り付けた第３宝石用台座６０を揺動可能に吊下げたものである。
【００３９】
この場合において、従来のガードル近傍に係止部を取り付けた宝石用台座と異なり、吊下げられた宝石用台座６０は吊下孔８６を中心として揺動するため、第１装身具用ペンダントとほぼ同様の効果を奏すことができるばかりか、くわえて宝石用台座６０の前面すなわち取り付けられた宝石１２のテーブル２０を外筒８４の外に出して、その輝きをより際立たせることができる。また、筒部６６における係止部６４の位置が中間地点に近いことより、宝石用台座６０の揺動により複雑な動きを加え、宝石１２の輝きをさらに増すことができる。
【００４０】
また、第３宝石用台座６０の前後方向に揺れが少ないことの付随的効果として、その左右方向の揺れも少なくなる。よって、外筒８４と第３宝石用台座６０の間の空間を狭めてペンダント本体を小さく形成することができる。
【００４１】
この結果、デザイン上の制約やアンバランスが生じないため、自由で美しい装身具用ペンダントを製造することができる。
【００４２】
図５において、（ａ）は、本発明に係る宝石用台座を連続して使用した第３装身具用ペンダントの側面図、（ｂ）は、従来の宝石用台座を連続して使用した装身具用ペンダントの側面図である。
【００４３】
第３装身具用ペンダント９０は、前記の第１装身具用ペンダント５０におけるペンダント本体を連続し、それぞれに第２宝石用台座３０を吊り下げて縦長の一つの装身具用ペンダントとしたものである。ここで、第３装身具用ペンダント９０のペンダント本体に他の宝石用台座を吊り下げることができるのはもちろんである。
【００４４】
第３装身具用ペンダント９０は、従来の宝石用台座を連続して使用した装身具用ペンダントとの比較において明らかなように、従来の宝石用台座を連続したペンダント本体の長さを極めて短くすることができる。結果として、自由なデザインを採用でき、極めて見栄えの良い連続する「揺れるペンダント」を提供することができる。
【００４５】
以上、本発明に係る宝石用台座及びこれを使用した装身具用ペンダントについて、いくつかの実施形態を説明してきたが、それを以って本発明を限定するものではなく、この発明の精神を逸脱しない限り、種々の改変を加えることができることはいうまでもない。
【００４６】
すなわち、説明の便宜上、本発明に係る宝石用台座に取り付ける宝石を平面円形のものに限定したが、その他の形状、例えば、平面角形、平面ハート形、平面涙形、平面卵形等の種々の宝石を取り付けられることはいうまでもない。
【００４７】
また、本発明に係る宝石用台座には必ずしも宝石を取り付けなければないわけでなく、宝石と同様に輝く効果を発揮する球状の宝石、ミラーボールやその他の装飾体をペンダント本体等に取り付けて装身具用ペンダント等を製造することもできる。例えば、図６に示すように、装飾体１１０の上方にペンダント本体に吊り下げるための係止部１１４を形成し、側面方向から見た場合には、係止部１１４が装飾体１１０の中央より後側上方に位置すると共に、係止部１１４の後側に延設部１１５を設ける、あるいは係止部１１４の後側を肉厚に形成する。このことにより、係止部１１４より前方向における装飾体１１０と係止部１１４の重量の和と係止部１１４より後方向における装飾体１１０と係止部１１４の重量の和をほぼ均衡させる、あるいは後方向における装飾体１１０と係止部１１４の重量の和をより大きく（重く）することができる。
【図面の簡単な説明】
【００４８】
【図１】（ａ）は、第１宝石用台座に宝石を取付けた状態を示す側面図、（ｂ）は、第２宝石用台座に宝石を取り付けた状態を示す一部破断側面図である。
【図２】（ａ）は、第１宝石用台座を使用した第１装身具用ペンダントの側面図、（ｂ）は、その正面図である。
【図３】（ａ）は、第３宝石用台座に宝石を取付けた状態を示す側面図、（ａ）は、第４宝石用台座に宝石を取付けた状態を示す一部破断側面図である。
【図４】（ａ）は、本発明に係る宝石用台座を使用した第２装身具用ペンダントの側面図、（ｂ）は、その正面図である。
【図５】（ａ）は、本発明に係る宝石用台座を連続して使用した第３装身具用ペンダントの側面図、（ｂ）は、従来の宝石用台座を連続して使用した装身具用ペンダントの側面図である。
【図６】球状の宝石を取り付けた本発明に係る装身具用ペンダントの側面図である。
【図７】従来の宝石用台座を示す側面図である。
【図８】宝石のカットを示す側面図である。
【図９】「揺れるペンダント」を示す側面図である。
【符号の説明】
【００４９】
１０  第１宝石用台座
１２  宝石
１２  テーブル
１３  クラウン
１４  パビリオン
１５  キューレット
１６  網部
１７  ガードル
１８  枠部
２０  テーブル
２２  爪部
２４  係止部
２６  後端
３０  第２宝石用台座
３６  網部
３８  枠部
４２  爪部
４４  係止部
４６  後端
４８  錘部
５０  第１装身具用ペンダント
５２  チェーン連結部
５３  台座
５４  定着部
５６  吊下孔
５８  吊下部
６０  第３宝石用台座
６４  係止部
６６  筒部
６８  覆輪部
７０  第４宝石用台座
７４  係止部
７６  筒部
７８  覆輪部
７９  錘部
８０  第２装身具用ペンダント
８２  チェーン連結部
８４  外筒
８６  吊下孔
８８  吊下部
９０  第３装身具用ペンダント
１１０  装飾体
１１４  係止部
１１５  延設部
１２０  宝石用台座
１２２  爪部
１２４  係止部
１３０  宝石用台座
１３４  係止部
１４０  「揺れるペンダント」
１４２  連結部
１４３  吊下部
１４４  定着部
１４６  吊下孔
１４８  吊下部
１４９  湾曲部
【図１】
2009005938.tif 000003
【図２】
2009005938.tif 000004
【図３】
2009005938.tif 000005
【図４】
2009005938.tif 000006
【図５】
2009005938.tif 000007
【図６】
2009005938.tif 000008
【図７】
2009005938.tif 000009
【図８】
2009005938.tif 000010
【図９】
2009005938.tif 000011